(57)【要約】【課題】  主引出しと内引出しとの連動を容易に解除することができる収納キャビネットを提供する。【解決手段】  収納キャビネット１は、ボックス本体３の前後方向に出退自在に設けられた引出し４と、引出し４の内部に収納され、ボックス本体３の前後方向に出退自在に設けられた内引出し１１と、両引出し４、１１の前面板同士を連結することで両引出し４、１１の出退動作を連動させる連結部２０及びフック２１と、を備えている。連結部２０は、下方への押圧操作によって両引出し４、１１の前面板同士の連結を解除するプッシュ部材２５を有している。プッシュ部材２５の上面２５ａが引出し４の前面板１２に設けられている取手１２ｃよりも上側に位置している。【選択図】      図３
2016140596.tif 000002
【特許請求の範囲】
【請求項１】
収納ボックスの前後方向に出退自在に設けられた主引出しと、
前記主引出しの内部に収納され、前記収納ボックスの前後方向に出退自在に設けられた内引出しと、
前記両引出しの前面板同士を連結することで前記両引出しの出退動作を連動させる連動機構と、を備え、
前記連動機構は、下方への押圧操作によって前記両引出しの前面板同士の連結を解除するプッシュ部材を有し、
前記プッシュ部材の操作面が前記主引出しの前面板に設けられている取手よりも上側に位置している引出し付き収納キャビネット。
【請求項２】
前記プッシュ部材の操作面が前記主引出しの前面板の上端面とほぼ面一である請求項１に記載の引出し付き収納キャビネット。
【請求項３】
前記内引出しを格納する方向に引き込むソフトクローズ機構をさらに備えている請求項１又は請求項２のいずれか一項に記載の引出し付き収納キャビネット。
【発明の詳細な説明】
【技術分野】
【０００１】
本発明は、引出し付き収納キャビネットに関する。
【背景技術】
【０００２】
従来から、引出し付き収納キャビネットには、主引出しの内部にさらに内引出しを備えているものがある。このような、内引出しは、主引出しに対して副次的に用いられることが多いため、主引出しの進出動作に連動して進出するように構成されていることがある。また、主引出しが全開になると連動が解除され、主引出しが進出している状態では、内引出しは開閉自在となる（例えば、特許文献１参照）。
【先行技術文献】
【特許文献】
【０００３】
【特許文献１】特許第４０４６２２５号公報
【発明の概要】
【発明が解決しようとする課題】
【０００４】
上記従来の引出し付き収納キャビネットでは、主引出しを進出させると内引出しも主引出しに連動して進出する。このため、主引出しのみを使用したい場合には、主引出しを進出させる動作に加えて、当該主引出しに連動して進出する内引出しを後退させ収納するという余分な動作が必要になる。
【０００５】
ここで、使用者が主引出しと内引出しとの連動を容易に解除することができれば、当該使用者は余分な動作をすることなく、必要に応じて主引出しと内引出しとを使い分けることができる。
【０００６】
本発明はこのような事情に鑑みてなされたものであり、主引出しと内引出しとの連動を容易に解除することができる引出し付き収納キャビネットを提供することを目的とする。
【課題を解決するための手段】
【０００７】
上記目的を達成するための本発明に係る引出し付き収納キャビネットは、収納ボックスの前後方向に出退自在に設けられた主引出しと、前記主引出しの内部に収納され、前記収納ボックスの前後方向に出退自在に設けられた内引出しと、前記両引出しの前面板同士を連結することで前記両引出しの出退動作を連動させる連動機構と、を備え、前記連動機構は、下方への押圧操作によって前記両引出しの前面板同士の連結を解除するプッシュ部材を有し、前記プッシュ部材の操作面が前記主引出しの前面板に設けられている取手よりも上側に位置している。
【０００８】
上記構成の引出し付き収納キャビネットによれば、下方への押圧操作によって両引出し同士の連結を解除するプッシュ部材の操作面が、主引出しの前面板に設けられている取手よりも上側に位置しているので、当該収納キャビネットの使用者は、主引出しを引くために取手に指を掛けたとき、当該取手に掛けた手の指以外の指でプッシュ部材の操作面を容易に押圧することができる。つまり、使用者は、片手で主引出しを引きながらプッシュ部材の操作面を容易に押圧することができ、両引出しの前面板同士の連結を解除し、両引出しの出退動作の連動を解除することができる。
【０００９】
上記引出し付き収納キャビネットにおいて、前記プッシュ部材の操作面が前記主引出しの前面板の上端面とほぼ面一であることが好ましい。
この場合、主引出しを引くために取手に指を掛け、当該取手に掛けた手の指以外の指でプッシュ部材を押圧する際に、前面板の上端によってプッシュ部材の押圧が妨げられるのを抑制できる。
【００１０】
また、上記引出し付き収納キャビネットにおいて、前記内引出しを格納する方向に引き込むソフトクローズ機構をさらに備えていることが好ましく、この場合、主引出しとともに内引出しも進出させた状態で連動を解除すれば、内引出しを後退させるための動作を行うことなく内引出しのみをキャビネットの内部に後退させることができ、利便性がより高まる。
【発明の効果】
【００１１】
以上のように、本発明の引出し付き収納キャビネットによれば、主引出しと内引出しとの連動を容易に解除することができる。
【図面の簡単な説明】
【００１２】
【図１】本発明の一実施形態による収納キャビネットの断面図である。
【図２】引出しをボックス本体３から進出させた状態を示した斜視図である。
【図３】図１中、内引出しの要部拡大図である。
【図４】（ａ）は、内引出しの前面部材と、主引出しの前面板とが連結されている状態を示した連結部及びフックの断面図、（ｂ）は、図４（ａ）の状態からプッシュ部材が押圧された状態を示した連結部及びフックの断面図、（ｃ）は、内引出しの前面部材と、主引出しの前面板との連結が解除されている状態を示した連結部及びフックの断面図である。
【図５】（ａ）は、内引出しの前面部材と、主引出しの前面板とが連結した状態で、引き出されたときの両引出しの動作の一態様を示した図、（ｂ）は、内引出しの前面部材と、主引出しの前面板との連結が解除された状態で、引き出されたときの両引出しの動作の一態様を示した図である。
【図６】内引出しと主引出しとの連動を解除する際の状態を示した図である。
【発明を実施するための形態】
【００１３】
次に、本発明の好ましい実施形態について添付図面を参照しながら説明する。
図１は、本発明の一実施形態による収納キャビネットの断面図である。この収納キャビネット１は、上面にカウンタ２を有するボックス本体（収納ボックス）３と、ボックス本体３の内部に設けられた引出し４、５とを備えている。
【００１４】
各引出し４、５は、ボックス本体３の前面開口部３ａから前後方向に出退自在に設けられている。
各引出し４、５の内、カウンタ２の直下に設けられている引出し４の内部には、内引出し１１が収納されている。
主引出しとしての引出し４と、内引出し１１とは、後述するように、互いに連結することで、出退動作を連動させることができる。また、互いの連結を解除することもできる。
【００１５】
図２は、引出し４をボックス本体３から進出させた状態を示した斜視図である。なお、図２では、引出し４と内引出し１１との連結を解除した状態を示している。
図２及び図１を参照して、引出し４は、上面に開口を有して収納物が収納される箱状に形成されており、ボックス本体３が有する側板６等に設けられたガイドレール（図示省略）によってボックス本体３の前後方向に出退自在に設けられている。
引出し４は、ボックス本体３の前面開口部３ａにおいて引出し４が占める範囲を塞ぐ前面板１２と、左右の側板１３とを含んで構成されている。
【００１６】
側板１３の上端面１３ａは、前面板１２の上端面１２ａよりも低い位置となるように形成されている。
内引出し１１は、前面板１２の上端面１２ａと、側板１３の上端面１３ａとの間の高さ位置に配置されており、引出し４の内部における上部空間に配置されている。
【００１７】
内引出し１１の幅方向寸法は、引出し４の幅方向寸法よりも小さく設定されている。内引出し１１は、引出し４の上面開口に対し、前面に向かって左側にオフセットして設けられている。これによって、引出し４の上面開口の内、内引出し１１によって覆われない部分については、内引出し１１に覆われている部分よりもより高い高さの収納空間を確保することができ、収納可能な収納物のバリエーションを広げることができる。
【００１８】
内引出し１１は、フレーム１５と、このフレーム１５の枠内に嵌め込まれたトレー１６とを備えている。
トレー１６は、例えば、樹脂や金属で形成された上面が開口した浅底の箱状部材であり、フレーム１５に嵌め込まれて保持されている。
フレーム１５は、アルミニウム合金やステンレス鋼等の形材によって方形の枠状に形成されており、その枠内においてトレー１６を保持している。
【００１９】
フレーム１５は、ボックス本体３に設けられたガイドレール（図示省略）によってボックス本体３の前後方向に出退自在に設けられている。よって、引出し４がボックス本体３に収納されている場合には、内引出し１１もボックス本体３に収納されることになるが、引出し４がボックス本体３から進出している場合には、内引出し１１は、ボックス本体３の前後方向に出退自在である。
【００２０】
フレーム１５の前面側に位置する前面枠部１５ａには、前面板としての前面部材１７が固定されている。
図３は、図１中、内引出し１１の要部拡大図である。なお、図３では、前面板１２を断面にて示している。
図３及び図２も参照して、前面部材１７は、前面枠部１５ａの前端面に固定されている板状の本体部１７ａと、本体部１７ａの前面側から突出した板状の突出部１７ｂとを備えている。
本体部１７ａ及び突出部１７ｂは、前面枠部１５ａの幅寸法全体に亘って延びている。
【００２１】
前面部材１７の幅方向ほぼ中央には、内引出し１１を引出し４の前面板１２に連結するための連結部２０が設けられている。
連結部２０は、前面板１２の背面１２ｂに突設されたフック２１と係合することで、前面部材１７と、前面板１２とを連結する。
また、連結部２０は、内引出し１１の前面部材１７と、引出し４の前面板１２との連結を解除することもできる。
【００２２】
連結部２０は、使用者による操作を受け付けるプッシュ部材２５と、このプッシュ部材２５を保持している本体部２６とを備えている。
本体部２６は、前面部材１７に固定されており、プッシュ部材２５を上下方向に移動可能に保持している。
プッシュ部材２５は、使用者による下方への押圧操作によって内引出し１１の前面部材１７と、引出し４の前面板１２との連結を解除するように構成されている。
【００２３】
図４（ａ）は、内引出し１１の前面部材１７と、引出し４の前面板１２とが連結されている状態を示した連結部２０及びフック２１の断面図である。
連結部２０のプッシュ部材２５は、本体部２６の上面から露出したボタン部３０と、フック２１に係合する係合部３１と、ボタン部３０及び係合部３１の左右両端を繋ぐ一対の柱部３２とを備えており、樹脂等によって形成されている。
【００２４】
プッシュ部材２５は、本体部２６に対して上下方向に相対移動可能であるとともに、上方向に弾性的に付勢されている。よって、図４（ａ）に示すように、ボタン部３０、係合部３１、及び一対の柱部３２によって囲まれた孔部Ｈにフック２１が挿通され、フック２１の返り部２１ａが係合部３１を通過した状態においては、フック２１と、係合部３１とが係合し、内引出し１１の前面部材１７と、引出し４の前面板１２とを連結する。
【００２５】
図４（ｂ）は、図４（ａ）の状態からプッシュ部材２５が押圧された状態を示した連結部２０及びフック２１の断面図である。
この場合、プッシュ部材２５は、図中矢印の方向（下方向）に押圧されることによって、付勢力に抗して下方向に移動する。よって、フック２１の返り部２１ａは、係合部３１を通過して孔部Ｈから引き抜き可能となる。これにより、フック２１と、係合部３１との係合が解除され、内引出し１１の前面部材１７と、引出し４の前面板１２との連結を解除することが可能となる。
【００２６】
図４（ｂ）に示す状態から、引出し４の前面板１２と、内引出し１１の前面部材１７とを引き離せば、引出し４の前面板１２と、内引出し１１の前面部材１７との連結を解除することができる。
【００２７】
図４（ｃ）は、内引出し１１の前面部材１７と、引出し４の前面板１２との連結が解除されている状態を示した連結部２０及びフック２１の断面図である。
内引出し１１の前面部材１７と、引出し４の前面板１２との連結が解除されている状態から再度連結するには、前面部材１７及び前面板１２の少なくとも一方を前後方向に移動させることで前面部材１７及び前面板１２を互いに接近させ、フック２１の先端傾斜面２１ｂと、係合部３１の傾斜面３１ａとを当接させた状態で、互いに接近する方向へさらに押圧する。
【００２８】
これによって、係合部３１の傾斜面３１ａがフック２１の先端傾斜面２１ｂに沿って接触摺動し、付勢力に抗してプッシュ部材２５を下方向に移動させることができる。よって、孔部Ｈにフック２１を挿通でき、フック２１と、係合部３１とを係合させることができる。
このように、前面部材１７及び前面板１２の少なくとも一方を前後方向に移動させ、前面部材１７及び前面板１２を互いに接近させて押圧することで、内引出し１１の前面部材１７と、引出し４の前面板１２とを連結することができる。
【００２９】
以上のように、連結部２０は、プッシュ部材２５を下方へ押圧操作することで、内引出し１１の前面部材１７と、引出し４の前面板１２との連結を解除するように構成されている。また、連結部２０は、前面部材１７及び前面板１２を互いに接近させて押圧すれば、再度連結できるように構成されている。
【００３０】
ここで、本実施形態の収納キャビネット１では、連結部２０及びフック２１が、内引出し１１の前面部材１７と、引出し４の前面板１２とを連結することで両引出し４、１１の出退動作を連動させるように構成されている。
【００３１】
図５（ａ）は、内引出し１１の前面部材１７と、引出し４の前面板１２とが連結した状態で、引出し４が引き出されたときの両引出し４、１１の動作の一態様を示した図である。
図５（ａ）の場合、連結部２０とフック２１とが互いに係合することで内引出し１１の前面部材１７と、引出し４の前面板１２とが連結されている。このため、引出し４を引き出すべく、前面板１２に設けられた取手を引くと、引出し４が進出するとともに、内引出し１１も連動して進出する。
この場合、収納キャビネット１の使用者は、内引出し１１を使用することができる。
【００３２】
図５（ｂ）は、内引出し１１の前面部材１７と、引出し４の前面板１２との連結が解除された状態で、引出し４が引き出されたときの両引出し４、１１の動作の一態様を示した図である。
図５（ｂ）の場合、引出し４を引き出すべく、前面板１２に設けられた取手を引いたとしても、内引出し１１の前面部材１７と、前面板１２との連結が解除されているので、引出し４は進出するが、内引出し１１は進出しない。
よって、収納キャビネット１の使用者は、引出し４を使用することができる。
なお、プッシュ部材２５を備えている連結部２０は、内引出し１１の前面側（の前面部材１７）に設けられているので、図５（ｂ）に示すように、内引出し１１を使用しない場合には内引出し１１とともにボックス本体内に収納され、引出し４を使用する場合においては、連結部２０（プッシュ部材２５）が邪魔になることはない。
【００３３】
このように、本実施形態では、内引出し１１に設けられた連結部２０と、引出し４に設けられたフック２１とは、内引出し１１の前面部材１７と、引出し４の前面板１２とを連結することで両引出し４、１１の出退動作を連動させる連動機構を構成している。
【００３４】
なお、ボックス本体３に収納された状態から引出し４を引き出すときに、内引出し１１と引出し４との連動を解除する場合、図６に示すように、連結部２０のプッシュ部材２５の操作面である上面２５ａが露出する程度に引出し４を引き、その後、プッシュ部材２５の上面２５ａを押圧することで、内引出し１１と引出し４との連動を解除することができる。
【００３５】
図３に戻って、連結部２０のプッシュ部材２５の上面２５ａは、引出し４の前面板１２に設けられている取手１２ｃよりも上側に位置している。
取手１２ｃは、前面板１２の前面１２ｄから当該前面板１２の幅方向ほぼ全域に亘って凹む凹部１２ｅに形成されている。
取手１２ｃは、凹部１２ｅの内側上面１２ｅ１から下方向に向かって突設されている。
【００３６】
取手１２ｃが突設されている内側上面１２ｅ１は、プッシュ部材２５の上面２５ａよりも下側に位置している。
よって、プッシュ部材２５の上面２５ａは、内側上面１２ｅ１から下方向に突設されている取手１２ｃよりも上側に位置している。
【００３７】
上記取手１２ｃに対して、使用者は、通常、手のひらを上側にして親指以外の指を掛ける。このとき、使用者の親指は、親指以外の指よりも上側に位置することとなる。
ここで、使用者が仮に片手で取手１２ｃを引きつつプッシュ部材２５を押圧しようとすると、親指で押圧することになるが、このとき、例えば、プッシュ部材２５の上面２５ａが引出し４の前面板１２に設けられている取手１２ｃよりも下側に位置していると、使用者は、親指を前面板１２よりも内側方向に伸ばしさらに下側にも伸ばさなければならず、プッシュ部材２５を押圧することが困難となる。
【００３８】
この点、本実施形態によれば、下方への押圧操作によって前面板１２と前面部材１７との連結を解除するプッシュ部材２５の上面２５ａが、引出し４の前面板１２に設けられている取手１２ｃよりも上側に位置しているので、当該収納キャビネット１の使用者は、引出し４を引くために手のひらを上側にして親指以外の指を取手１２ｃに掛けたとき、当該取手１２ｃに掛けた手の指以外の指である親指を前面板１２の内側に伸ばせばプッシュ部材２５の上面２５ａを押圧することができる。このため、プッシュ部材２５の上面２５ａを容易に押圧することができる。
【００３９】
つまり、使用者は、片手で引出し４を引きながらプッシュ部材２５の上面２５ａを容易に押圧することができ、前面板１２と前面部材１７との連結を解除し、引出し４と内引出し１１とのの出退動作の連動を容易に解除することができる。
【００４０】
さらに、本実施形態では、連結部２０のプッシュ部材２５の上面２５ａが、引出し４の前面板１２の上端面１２ａとほぼ面一とされている。
これによって、引出し４を引くために取手１２ｃに指を掛け、当該取手１２ｃに掛けた手の指以外の指でプッシュ部材２５を押圧する際に、前面板１２の上端によってプッシュ部材２５の押圧が妨げられるのを抑制できる。
【００４１】
なお、本発明は上記実施形態に限定されるものではない。
例えば、上記実施形態の収納キャビネット１において、内引出し１１をボックス本体３内に格納する方向に緩やかに引き込むソフトクローズ機構をさらに備えていてもよく、この場合、引出し４とともに内引出し１１も進出させた状態で連動を解除すれば、内引出し１１を後退させるための動作を行うことなく内引出し１１のみをボックス本体３の内部に後退させることができ、より利便性を高めることができる。
【００４２】
また、上記実施形態では、カウンタ２の直下に設けられている引出し４が内引出し１１を備えている場合を例示したが、引出し５が内引出しを備えたものとすることができる。
【００４３】
また、上記実施形態では、上面にカウンタ２を有する収納キャビネット１を例示したが、例えば、シンク等が一体に設けられた天板を有する収納キャビネット等であっても、引出しを有する収納キャビネットであれば本発明を適用することができる。
【符号の説明】
【００４４】
１  収納キャビネット
２  カウンタ
３  ボックス本体（収納ボックス）
３ａ  前面開口部
４  引出し
５  引出し
６  側板
１１  内引出し
１２  前面板
１２ａ  上端面
１２ｂ  背面
１２ｃ  取手
１２ｄ  前面
１２ｅ  凹部
１２ｅ１  内側上面
１３  側板
１３ａ  上端面
１５  フレーム
１５ａ  前面枠部
１６  トレー
１７  前面部材（前面板）
１７ａ  本体部
１７ｂ  突出部
２０  連結部
２１  フック
２１ａ  返り部
２１ｂ  先端傾斜面
２５  プッシュ部材
２５ａ  上面
２６  本体部
３０  ボタン部
３１  係合部
３１ａ  傾斜面
３２  柱部
【図１】
2016140596.tif 000003
【図２】
2016140596.tif 000004
【図３】
2016140596.tif 000005
【図４】
2016140596.tif 000006
【図５】
2016140596.tif 000007
【図６】
2016140596.tif 000008